【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
記録材に画像を形成する画像形成部と、
飛行状態にあった無人飛行体が帰着する帰着部と、
前記帰着部に帰着した前記無人飛行体との間で情報交換を行う情報交換部と
を有する画像形成装置。
【請求項２】
前記情報交換部は、近距離無線通信により情報交換を行うことを特徴とする請求項１に
記載の画像形成装置。
【請求項３】
前記情報交換部は、前記帰着部に帰着した前記無人飛行体から、当該無人飛行体が収集
した屋内の情報を取得することを特徴とする請求項１または２に記載の画像形成装置。
【請求項４】
前記情報交換部は、前記無人飛行体が飛行中に近距離無線通信にて収集した前記屋内の
情報を取得することを特徴とする請求項３に記載の画像形成装置。
【請求項５】
前記情報交換部は、前記無人飛行体から、画像、音、臭気、温度および湿度のうち少な
くとも１つの情報を取得することを特徴とする請求項１乃至４の何れか１項に記載の画像
形成装置。
【請求項６】
前記情報交換部は、前記無人飛行体から、屋内の人員の有無についての情報を取得する
ことを特徴とする請求項１乃至５の何れか１項に記載の画像形成装置。
【請求項７】
前記情報交換部は、前記無人飛行体から受信した情報を基に決定された設定情報を当該
無人飛行体に送信することを特徴とする請求項１乃至６の何れか１項に記載の画像形成装
置。
【請求項８】
ネットワークを介して通信する通信部と、
前記無人飛行体に対し、前記通信部を介してインターネット経由での情報交換を可能と
する通信制御部と、
をさらに備えることを特徴とする請求項１乃至７の何れか１項に記載の画像形成装置。
【請求項９】
前記通信部は、前記画像形成部で画像を形成するための画像情報を取得するものである
ことを特徴とする請求項８に記載の画像形成装置。
【請求項１０】
予め定められた監視領域内の異常を検知するための検知手段をさらに有することを特徴
とする請求項１乃至９の何れか１項に記載の画像形成装置。
【請求項１１】
前記通信部を介して取得した情報をもとに屋内を飛行する無人飛行体を制御する飛行体制御部をさらに有することを特徴とする請求項８または９に記載の画像形成装置。
【請求項１２】
前記帰着部にて前記無人飛行体が帰着状態にあることを認識する認識部と、
前記認識部にて帰着状態を認識した前記無人飛行体に対して、動力源を供給する動力源供給部と、
をさらに有することを特徴とする請求項１乃至１１の何れか１項に記載の画像形成装置。
【請求項１３】
前記帰着部に帰着した前記無人飛行体に対し、当該無人飛行体により発信を行う情報および／または前記画像形成部により当該情報に関する画像が形成された記録材を受け渡す受渡部をさらに有することを特徴とする請求項１乃至１２の何れか１項に記載の画像形成装置。
【請求項１４】
記録材に画像を形成する画像形成装置と、
前記画像形成装置との間で情報交換を行い、情報交換を行うときに当該画像形成装置に
帰着する無人飛行体と、
を備え、
前記画像形成装置は、
画像を形成する画像形成部と、
飛行状態にあった無人飛行体が帰着する帰着部と、
前記帰着部に帰着した前記無人飛行体との間で情報交換を行う情報交換部と
を有する画像形成システム。
【手続補正２】
【補正対象書類名】明細書
【補正対象項目名】０００６
【補正方法】変更
【補正の内容】
【０００６】
請求項１に記載の発明は、記録材に画像を形成する画像形成部と、飛行状態にあった無人飛行体が帰着する帰着部と、前記帰着部に帰着した前記無人飛行体との間で情報交換を行う情報交換部とを有する画像形成装置である。
請求項２に記載の発明は、前記情報交換部は、近距離無線通信により情報交換を行うことを特徴とする請求項１に記載の画像形成装置である。
請求項３に記載の発明は、前記情報交換部は、前記帰着部に帰着した前記無人飛行体から、当該無人飛行体が収集した屋内の情報を取得することを特徴とする請求項１または２に記載の画像形成装置である。
請求項４に記載の発明は、前記情報交換部は、前記無人飛行体が飛行中に近距離無線通信にて収集した前記屋内の情報を取得することを特徴とする請求項３に記載の画像形成装置である。
請求項５に記載の発明は、前記情報交換部は、前記無人飛行体から、画像、音、臭気、温度および湿度のうち少なくとも１つの情報を取得することを特徴とする請求項１乃至４の何れか１項に記載の画像形成装置である。
請求項６に記載の発明は、前記情報交換部は、前記無人飛行体から、屋内の人員の有無についての情報を取得することを特徴とする請求項１乃至５の何れか１項に記載の画像形成装置である。
請求項７に記載の発明は、前記情報交換部は、前記無人飛行体から受信した情報を基に決定された設定情報を当該無人飛行体に送信することを特徴とする請求項１乃至６の何れか１項に記載の画像形成装置である。
請求項８に記載の発明は、ネットワークを介して通信する通信部と、前記無人飛行体に対し、前記通信部を介してインターネット経由での情報交換を可能とする通信制御部と、をさらに備えることを特徴とする請求項１乃至７の何れか１項に記載の画像形成装置である。
請求項９に記載の発明は、前記通信部は、前記画像形成部で画像を形成するための画像情報を取得するものであることを特徴とする請求項８に記載の画像形成装置である。
請求項１０に記載の発明は、予め定められた監視領域内の異常を検知するための検知手段をさらに有することを特徴とする請求項１乃至９の何れか１項に記載の画像形成装置である。
請求項１１に記載の発明は、前記通信部を介して取得した情報をもとに屋内を飛行する無人飛行体を制御する飛行体制御部をさらに有することを特徴とする請求項８または９に記載の画像形成装置である。
請求項１２に記載の発明は、前記帰着部にて前記無人飛行体が帰着状態にあることを認識する認識部と、前記認識部にて帰着状態を認識した前記無人飛行体に対して、動力源を供給する動力源供給部と、をさらに有することを特徴とする請求項１乃至１１の何れか１項に記載の画像形成装置である。
請求項１３に記載の発明は、前記帰着部に帰着した前記無人飛行体に対し、当該無人飛行体により発信を行う情報および／または前記画像形成部により当該情報に関する画像が形成された記録材を受け渡す受渡部をさらに有することを特徴とする請求項１乃至１２の何れか１項に記載の画像形成装置である。
請求項１４に記載の発明は、記録材に画像を形成する画像形成装置と、前記画像形成装置との間で情報交換を行い、情報交換を行うときに当該画像形成装置に帰着する無人飛行体と、を備え、前記画像形成装置は、画像を形成する画像形成部と、飛行状態にあった無人飛行体が帰着する帰着部と、前記帰着部に帰着した前記無人飛行体との間で情報交換を行う情報交換部とを有する画像形成システムである。
【手続補正３】
【補正対象書類名】明細書
【補正対象項目名】０００７
【補正方法】変更
【補正の内容】
【０００７】
請求項１の発明によれば、画像形成装置の機能を利用して情報等の交換を行い、無人飛行体を屋内で使用する際に、通信機器等を設置する場所を新たに確保する必要がなく、無人飛行体をより廉価に活用することができる。
請求項２の発明によれば、情報の受け渡しがよりセキュアになる。
請求項３の発明によれば、屋内の情報を管理、分析、診断、フィードバックし、サービスアクションを行うことができる。
請求項４の発明によれば、屋内の情報を無線にてよりセキュアに収集することができる。
請求項５の発明によれば、サービスアクションを行うための情報として、より適切なものを収集することができる。
請求項６の発明によれば、従業員等の行動について把握することができる。
請求項７の発明によれば、情報の収集を行うのにより適切な方法で行うことができる。
請求項８の発明によれば、情報を管理、分析、診断、フィードバックするのに外部の機器を使用することができる。
請求項９の発明によれば、画像形成装置の情報通信機能を流用することができる。
請求項１０の発明によれば、画像形成装置に従来備わっている機器を流用し、監視装置としての機能を付与することができる。
請求項１４の発明によれば、画像形成装置の機能を利用して情報等の交換を行い、無人飛行体を屋内で使用する際に、通信機器等を設置する場所を新たに確保する必要がなく、無人飛行体をより廉価に活用することができる画像形成システムが構築できる。